(57)【要約】      （修正有）【課題】屋根開口部から屋内に雨水等が浸入することを確実に防止することができる配線引込み部の防水構造とその施工法を提案する。【解決手段】屋根材に開設した円形開口部下面側に該開口部を取り囲むように該屋根材と屋根下地材間の間隙に、内径が上記屋根材開口部の口径にほぼ合致する大きさの弾力性のあるドーナツ型のスペーサパッキンを介在させ、該パッキンには下縁外周につば部が形成された筒型軸体の中間部が密に挿入され、屋根上の配線を挿通するための上記筒型軸体は屋根材の上記開口部に対応する個所の屋根下地材に開設した円形の軸体挿入口から上方へ向けて挿入され、該筒型軸体下縁外周のつば部は屋根下地材下面の上記軸体挿入口周囲に止着し、該軸体の上部は屋根材の上記開口部から上方へ突出してロックナットと螺合自在に構成され、該ロックナットの締付けにより上記スペーサパッキンが屋根材と屋根下地材間で密着挟持される。【選択図】図１
2009060687.tif 000002
【特許請求の範囲】
【請求項１】
屋根材に開設した円形開口部下面側に該開口部を取り囲むように該屋根材と屋根下地材間の間隙に、内径が上記屋根材開口部の口径にほぼ合致する大きさのドーナツ型のスペーサパッキンを介在させ、該パッキンには下端縁に外周向きつば部が形成された筒型軸体の中間部が密に貫挿され、屋根上の配線を挿通するための上記筒型軸体は屋根材の上記開口部に対応する個所の屋根下地材に開設した円形の軸体挿入口から上方へ向けて挿入され、該筒型軸体下縁外周のつば部は屋根下地材下面の上記軸体挿入口周囲に止着し、該軸体の上部は屋根材の上記開口部から上方へ突出してロックナットと螺合自在に構成され、該ロックナットの締付けにより上記スペーサパッキンが屋根材と屋根下地材間で密着挟持されるように構成されてなることを特徴とする屋根材の配線引込み部の防水構造。
【請求項２】
前記スペーサパッキンは、その上下両面が屋根材と屋根下地材との間隙の断面形状に合致するように、その上面が片側へ向かって傾斜面に形成されてなる請求項１記載の屋根材の配線引込み部の防水構造。
【請求項３】
前記ドーナツ型スペーサパッキンは、螺旋形状、あるいは円周部分の少なくとも１個所以上に段違いの切れ目が設けられていて該切れ目部分で係合離脱可能に構成されてなる請求項１又は２記載の屋根材の配線引込み部の防水構造。
【請求項４】
前記筒型軸体上部に螺合するロックナットの下側には、上面は水平で、下面は屋根材の傾斜にならった傾斜面に形成されたドーナツ型の防水パッキンが挿入されてなる請求項１記載の屋根材の配線引込み部の防水構造。
【請求項５】
前記ロックナットには、その上面に断面Ｌ型筒状の防水カバーが一体に設けられてなる請求項１記載の屋根材の配線引込み部の防水構造。
【発明の詳細な説明】
【技術分野】
【０００１】
本発明は、例えば屋根上に設置固定される太陽光発電用パネルからの電線や送信又は受信用アンテナのアンテナ線等の配線を屋根材から直接屋内に引込むための防水構造に関するものである。
【背景技術】
【０００２】
従来、この種の配線を屋内に引込む場合には、合成樹脂等よりなる可撓管内に配線を挿通し、この可撓管を屋根面上に這わせてから、軒先又は「けらば」を回り込ませて配線接続箱に接続していた。このため、可撓管が屋根面上に露呈するので、屋根の外観が損なわれると共に、可撓管が太陽光の紫外線により劣化して耐久性にも乏しいものであった。
【０００３】
そこで、外観を良好とするため、屋根材に配線を通すための開口部を直接穿設し、該開口部から直接配線を屋根裏に引込むことが考えられるが、この屋根材に設けた開口部から雨水が浸入する虞れがあり、屋根材と屋根下地材との間には隙間があり、屋根材の開口部からこの隙間に水が浸入すると、漏水の原因となってしまう。また、配線を引込む屋根材の開口部の防水性を確保するために該開口部を締付け構造とすると、その締付けによって上記屋根材と屋根下地材間に隙間があることから、その締付け部分の屋根材が凹んで雨水が集まり、これまた漏水の一因となってしまうという問題があった。
【発明の開示】
【発明が解決しようとする課題】
【０００４】
本発明は、上記のような配線を屋根面上に這わせずに、屋根材に開設した開口部から直接屋内に配線を引込むに当たり、該開口部から屋内に雨水等が浸入することを確実に防止することができる配線引込み部の防水構造を提案するものである。
【課題を解決するための手段】
【０００５】
本発明は、屋根材に開設した円形開口部下面側に該開口部を取り囲むように該屋根材と屋根下地材間の間隙に、内径が上記屋根材開口部の口径にほぼ合致する大きさの弾力性のあるドーナツ型のスペーサパッキンを介在させ、該パッキンには下縁外周に外向きつば部が形成された筒型軸体の中間部が密に貫挿され、屋根上の配線を挿通するための上記筒型軸体は屋根材の上記開口部に対応する個所の屋根下地材に開設した円形の軸体挿入口から上方へ向けて挿入され、該筒型軸体下縁外周のつば部は屋根下地材下面の上記軸体挿入口周囲に止着し、該軸体の上部は屋根材の上記開口部から上方へ突出してロックナットと螺合自在に構成され、該ロックナットの締付けにより上記スペーサパッキンが屋根材と屋根下地材間で密着挟持されるように構成されてなるもので、これにより屋根材の上記開口部からの雨水の浸入が防止されるのである。
【０００６】
また、上記ドーナツ型スペーサパッキンは、その上下両面が屋根材と屋根下地材との間隙の断面形状に合致するように、その上面が片側へ向かって傾斜面に形成されており、必要により、該スペーサパッキンは、螺旋形状としたり、あるいは円周部分の１個所に段違いの切れ目が設けられていて該切れ目部分で係合離脱可能に構成することもできる。
【０００７】
さらに、上記筒型軸体上部に螺合するロックナットの下側には、上面は水平で、下面は屋根材の傾斜にならった傾斜面に形成されたドーナツ型の防水パッキンを挿入するようにする。
【０００８】
また、上記ロックナットとして、その上面に断面Ｌ型筒状の防水カバーが一体に設けられたものを使用でき、これによれば、雨水の浸入は防止のため、本発明の防水構造においても屋根上でこれを取り囲む必要のある屋根面に取り付ける配線引込み可能な箱状の防水カバーが不要となる。
【発明の効果】
【０００９】
本発明は、上記のように構成され、屋根材と屋根下地材との間にはスペーサパッキンが挿入挟持されているので、屋根面を流れる雨水が屋根材開口部から浸入することが防止されることは勿論、たとえ該屋根材開口部から雨水が浸入しても、このスペーサパッキンにより、屋根下地材上を流れてきた水も止水され、屋根下地材に開設した筒型軸体挿入用の開口部から屋内側への浸入は確実に防止される。
【００１０】
また、このスペーサパッキンの存在により、ロックナットの締め過ぎによる屋根面の凹みの発生が防止される。
【００１１】
また、筒型軸体のロックナット下に防水パッキンを介在させて該ロックナットを締付けるようにすれば、屋根面上を流れる水の屋根材開口部からの浸入が更に確実に防止できる。
【００１２】
しかも、配線が挿通される筒型軸体の固定を屋内側から防水パッキンを介してビス止め等により行われ、屋根材自体のへのビス止め個所がないので、屋根材に余計な孔開け個所が不要となる。
【００１３】
さらに、本発明の防水構造は、ドーナツ型スペーサパッキンとして、螺旋形状、あるいは円周部分の１個所に段違いの切れ目が設けられていて該切れ目部分で係合離脱可能に構成されたスペーサパッキンを使用すれば、屋根材の施工途中だけでなく、屋根材葺設後に、屋根材上面の所定個所から屋根下地材までホールソー等の電動孔開け工具により円形開口部を貫通開設した後、該屋根材の開口部からスペーサパッキンを挿入できるので、屋根材の葺設完了後でも施工が可能である。
【発明を実施するための最良の形態】
【００１４】
図１は、屋根下地材上に葺設した屋根材の所定個所に本発明に係る配線引込み部の防水構造を施工した状態の一実施例を示す断面説明図、図２はこの防水構造を構成する各部材の組み合わせ前の状態を示す分解斜視図である。
【００１５】
１は上面に一様に防水紙３を敷設した屋根下地材（野地板）２上に葺設した屋根材で、この屋根材１は例えば鉄板、亜鉛鉄板、アルミニウム、ステンレスや銅等の横葺き用の金属板よりなり、該屋根材１の屋根の流れ方向前後両端部(図１では左右両端部)には雄側嵌合部１ａと雌側嵌合部１ｂがそれぞれ折曲形成され、雌側嵌合部１ｂには更に屋根下地材２にビス止めするための平坦部１ｃが延設されている。なお、屋根材１の裏面には必要により断熱材として発泡ウレタン樹脂等を一体に発泡成型した裏打ち材（図示せず）を備えている場合もある。
【００１６】
例えば、この横葺き用の屋根材１においては、屋根材１を屋根下地材２上に葺設して行く場合、図２に示すように、雄側嵌合部１ａを軒側に向け、その反対端の雌側嵌合部１ｂに形成された折り返し部内に他の屋根材１の雄側嵌合部１ａの折曲端部を引っ掛けるようにして嵌合連結し、その際、雌側嵌合部１ｂに延設された平坦部１ｃは屋根下地材２へビス止めするようにし、このようにして雄側嵌合部１ａと雌側嵌合部１ｂとの嵌合連結を棟方向に向かって順次繰り返しながら屋根材１を葺設して行く。
【００１７】
４は屋根材１上面の所定個所から屋根下地材２下面まで貫通する例えば口径５〜１０ｃｍの円形開口部で、該開口部４はホールソー等の孔開け用電動工具により開設され、該開口部４には下縁に外向きつば部５ａが形成された筒型軸体５が屋根下地材２の開口部４ｂから上方へ密に貫挿されて、該軸体５の外周面にねじ切りされた上部５ｂは屋根材１面の開口部４ａから所定高さ上方へ突出するようにし、該軸体５の上記外向きつば部５ａは屋根下地材２下面の開口部４ｂの外周部にビス６止め固定される。
【００１８】
７は屋根材１と屋根下地材２との間の上記両開口部４ａ、４ｂ個所に密に挿入されたウレタンゴム等よりなる比較的硬いが弾力性もあるドーナツ型のスペーサパッキンで、該スペーサパッキン７はその内径が上記屋根材開口部４ａ（従って屋根下地材開口部４ｂ）の口径にほぼ合致する大きさを有し、上下両面が屋根材１と屋根下地材２との間隙の断面形状に合致するように、その上面が片側へ向かって傾斜面となっており、該スペーサパッキン７を屋根材１と屋根下地材２との間の上記所定個所に挿入したときに、その上下両面が屋根材１下面及び屋根下地材２（正確にはその上に敷設した防水紙３）上面に密接するように（圧接可能に）構成されている。
【００１９】
なお、該スペーサパッキン７の形状は、図３（イ）に示すように、上記のような上面が傾斜した単なるドーナツ形状のスペーサパッキン７ａのほか、図３（ロ）に示すように、螺旋形状に構成されたドーナツ型スペーサパッキン７ｂ、あるいは図３（ハ）に示すように、円周部分の少なくとも１個所以上に段違いの切れ目が設けられていて、該切れ目部分で係合離脱可能に構成されているドーナツ型スペーサパッキン７ｃなど、種々の形状が採用でき、いずれも上記のように上面が傾斜してなる。
【００２０】
８は屋根材１の上記開口部４ａから上方へ突出する筒型軸体５の上部５ｂ外周に螺合するロックナットで、該ロックナット８は、図４に示すように、平型形状のロックナット８ａのほか、その上側に断面Ｌ型筒状の防水カバーが一体に設けられてなる防水カバー付きロックナット８ｂを使用する場合もある。
【００２１】
９は上記ロックナット８下側の筒型軸体５外周に挿入したドーナツ型の防水パッキンで、その上面はロックナット８下面と密着するように水平とされ、その下面は葺設施工された屋根材１の上面に密着するように該屋根材１の傾斜にならった傾斜面に形成されている。
【００２２】
１０は筒型軸体５下縁外周の外向きつば部５ａ上側に挿入された他のドーナツ型の防水パッキンである。
【００２３】
しかして、屋根上に設置固定された太陽光発電用パネルからの電線や送信又は受信用アンテナのアンテナ線等の配線１１を屋根材１を介して直接屋内に引込む場合には、次のようにして行う。
【００２４】
まず、屋根材１を嵌合連結して行く途中で、配線１１の引込み該当部分の屋根材１を上面に防水紙３を敷設した屋根下地材２上に仮置きする。
次に、配線１１の引込み部分をホールソー等の電動工具を使用し、屋根材１、防水紙３、屋根下地材２に円形開口部４ａ、４ｂを同時に開設する（図２参照）。なお、図２では、開口部４ｂは屋根下地材２とその上面にある防水紙３の両方の開口部を示している。
【００２５】
次に、仮置きした上記屋根材１を外して、屋根下地材２の開口部４ｂに合せてスペーサパッキン７を置き、しかる後、前記したように各屋根材１の前後両端部にある雄・雌嵌合部１ａ、１ｂの嵌合連結を繰り返しながら葺設施工して行く。（図２参照）
【００２６】
次に、屋根裏において、筒型軸体５をその下縁つば部５ａ上に防水パッキン１０を載せた状態で屋根下地材２の開口部４ｂから上方の屋根材１の開口部４ａに貫挿し、上記軸体つば部５ａを屋根下地材２下面にビス固定６する。
【００２７】
そして、屋根材１の開口部４ａから突出した軸体５の上部５ｂ外周に上記防水パッキン９を嵌合してから、最後に該軸体５上部にロックナット８を螺合して締付けるのである（図１、図２及び図５参照）。なお、この場合、スペーサパッキン７及び防水パッキン９の内周側面には中心方向に向けて凸状に突出形成した突子（図示せず）を設け、一方筒状軸体５にはその上部５ｂ外周側面に上記突子が入り込む凹部（図示せず）を設けることにより、ロックナット８による締め付け時の共回りを防止すると共に、正確な位置決め効果が発揮できるようにしてもよい。
【００２８】
これにより、スペーサパッキン７は屋根材１と屋根下地材２間で密着挟持され、屋根材１の開口部４ａ及び屋根下地材２の開口部４ｂからは上下の防水パッキン９，１０により屋根裏に雨水が浸入する虞れはなく、また、屋根材１下のスペーサパッキン７の介在により、ロックナット８を強く締付けても屋根材１の開口部４ａ近傍が凹む心配もない。
【００２９】
最後に、配線１１を筒型軸体５の上端口から屋根裏に引き込むのであるが、この屋根材１の開口部４ａから上方へ突出した軸体５部分は屋根面に取り付ける例えば市販の箱状の配線１１を引込み可能な防水カバー（図示せず）によって取り囲まれることになる。
【００３０】
なお、ロックナット８として、平型形状のロックナット８ａを使用しないで、図４に示す断面Ｌ型筒状の防水カバー付きロックナット８ｂを使用する場合には、そのＬ型筒状の防水カバーの開口端を軒先側に向け、必要であれば該開口端の配線周りをシーリングすることにより、雨水の浸入は防止されるので、上記のような箱状の防水カバーは不要となる。（図６参照）
【００３１】
また、上記説明では屋根材１は横葺き用の金属板を使用するものとして説明したが、縦葺きのものでも同様であり、また金属製の屋根材に限られず、スレート屋根材、セラミックス屋根材など、その素材に特に制約はない。
【００３２】
また、以上の説明は、屋根材１の葺設途中の段階での施工法を述べたが、屋根材１の葺設施工後であっても、本発明による防水構造の施工を行うことも可能である。
【００３３】
すなわち、屋根材１の葺設施工後、ホールソー等の電動孔開け工具で所定個所の屋根材１、防水紙３、屋根下地材２を開口する。
【００３４】
次に、屋根材１の開口部４ａからスペーサパッキン７をを屋根材１と防水紙３との隙間に挿入する。ただし、この場合には、使用するスペーサパッキンは図３の（ロ）又は（ハ）に示す螺旋形状のドーナツ型スペーサパッキン７ｂ、あるいは段違いの切れ目付きのドーナツ型スペーサパッキン７ｃを使用する。
【００３５】
次に、屋根裏から前記と同様に、筒型軸体５をその下縁つば部５ａ上に防水パッキン１０を載せた状態で屋根下地材２の開口部４ｂから上方の屋根材１の開口部４ａに貫挿し、上記軸体つば部５ａは屋根下地材２下面にビス固定６する。
【００３６】
そして、前記と同様に、屋根面から突出した筒型軸体５上部に防水パッキン９を挿入してから、該軸体５上部にロックナット８を螺合して締付けるのである。
【図面の簡単な説明】
【００３７】
【図１】屋根下地材上に設けた屋根材の所定個所に本発明に係る配線引込み部の防水構造を施工した状態の一実施例を示す断面説明図である。
【図２】本発明の防水構造を屋根に施工する場合の屋根と構成する各部材の組み合わせ前の状態を示す分解斜視図である。
【図３】本発明で使用されるスペーサパッキンの種々の形状を示す斜視図である。
【図４】本発明で使用する筒型軸体とこれに螺合するロックナットの斜視図である。
【図５】本発明の防水構造を施工した状態の一例を示す屋根の斜視図である。
【図６】本発明の防水構造を施工した状態の他の例を示す屋根の斜視図である。
【符号の説明】
【００３８】
１−屋根材
２−屋根下地材
３−防水紙
４−開口部
５−筒型軸体
６−ビス
７−スペーサパッキン
８−ロックナット
９−防水パッキン
１０−防水パッキン
１１−配線
【図１】
2009060687.tif 000003
【図２】
2009060687.tif 000004
【図３】
2009060687.tif 000005
【図４】
2009060687.tif 000006
【図５】
2009060687.tif 000007
【図６】
2009060687.tif 000008